(57)【要約】【課題】カセッテを用いた医用画像撮影システムにおいて、一の被写体を複数の撮影条件で撮影する際の撮影準備作業を効率化するとともに、撮影条件を誤ることなく撮影を行うことを可能とする。【解決手段】本発明に係る医用画像撮影システムによれば、コントローラーの撮影条件／カセッテＩＤ設定記憶部には、乳房撮影における各撮影条件と、その撮影条件での撮影に用いるカセッテのカセッテＩＤが対応付けて記憶されており、カセッテ登録処理において、入力された撮影オーダ情報の撮影部位情報が乳房であるか否かが判断され、乳房である場合には、撮影条件／カセッテＩＤ設定記憶部が参照され、各撮影オーダ情報に含まれる撮影条件に対応するカセッテＩＤが読み出され、各撮影オーダ情報と読み出されたカセッテＩＤとが対応付けて登録される。【選択図】図５
2005342305.tif 000002
【特許請求の範囲】
【請求項１】
入力された撮影オーダ情報と当該撮影オーダ情報に基づく撮影に使用するカセッテの識別情報とを対応付けて登録し、前記撮影オーダ情報に含まれる撮影条件に基づいて被写体を撮影してその放射線画像を前記登録されたカセッテに記録し、当該カセッテに記録された放射線画像を読み取って医用画像データを取得する医用画像撮影システムにおいて、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録する制御手段を備えたことを特徴とする医用画像撮影システム。
【請求項２】
入力された撮影オーダ情報と当該撮影オーダ情報に基づく撮影に使用するカセッテの識別情報とを対応付けて登録し、前記撮影オーダ情報に含まれる撮影条件に基づいて前記登録されたカセッテを用いて被写体を撮影し前記被写体を透過した放射線像を光電変換し、その光電変換された放射線画像信号を医用画像データとして取得する医用画像撮影システムにおいて、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録する制御手段を備えたことを特徴とする医用画像撮影システム。
【請求項３】
前記関連撮影は、左右乳房に関する撮影であることを特徴とする請求項１又は２に記載の医用画像撮影システム。
【請求項４】
前記関連撮影は、撮影条件が左右上下方向の乳房撮影及び／又は左右斜位方向の乳房撮影であることを特徴とする請求項３に記載の医用画像撮影システム。
【請求項５】
入力された撮影オーダ情報と当該撮影オーダ情報に基づく撮影に使用するカセッテの識別情報とをオペレータの登録操作に基づき対応付けて登録する制御手段を備え、前記撮影オーダ情報に含まれる撮影条件に基づいて被写体を撮影してその放射線画像を前記登録されたカセッテに記録し、当該カセッテに記録された放射線画像を読み取って医用画像データを取得する医用画像撮影システムにおける医用画像撮影方法において、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、前記制御手段において、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録することを特徴とする医用画像撮影方法。
【請求項６】
入力された撮影オーダ情報と当該撮影オーダ情報に基づく撮影に使用するカセッテの識別情報とをオペレータの登録操作に基づき対応付けて登録する制御手段を備え、前記撮影オーダ情報に含まれる撮影条件に基づいて前記登録されたカセッテを用いて被写体を撮影し前記被写体を透過した放射線像を光電変換し、その光電変換された放射線画像信号を医用画像データとして取得する医用画像撮影システムにおける医用画像撮影方法において、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、前記制御手段において、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録することを特徴とする医用画像撮影方法。
【発明の詳細な説明】
【技術分野】
【０００１】
本発明は、放射線を用いて被写体を撮影する医用画像撮影システム及び医用画像撮影方法に関する。
【背景技術】
【０００２】
放射線を用いて撮影された画像は、診断のための医用画像として広く用いられており、近年では医用画像のデジタル化が実現されている。例えば、ＣＲ（Computed Radiography）装置は、被写体を透過した放射線を輝尽性蛍光体層が形成された輝尽性蛍光体シートに蓄積させた後、この輝尽性蛍光体シートをレーザ光で走査し、これにより輝尽性蛍光体シートから発光される輝尽光を光電変換して医用画像データを得るものである。医用画像データは、撮影部位や撮影方向等の撮影条件に基づいて画像処理され、レイアウトされ、出力される（例えば、特許文献１参照）。
【０００３】
この輝尽性蛍光体を利用した医用画像撮影システムは、大きく分けて輝尽性蛍光体シートを内蔵して撮影と画像の読み取りの両方を行う専用タイプと、輝尽性蛍光体シートを収容した持ち運び可能なカセッテを用いるカセッテタイプとに分類される。このカセッテタイプにおける医用画像撮影方法について以下に説明する。
【０００４】
カセッテタイプの医用画像撮影システムは、カセッテを用いて被写体の放射線画像を撮影する撮影装置と、カセッテから医用画像を読み取る読取装置と、この読取装置を制御して読み取られた医用画像データを取得し、取得された医用画像データに対し、診断に適した画像となるように画像処理、フォーマッティング処理を行う制御装置と、を備えて構成されている。
【０００５】
以下、この医用画像撮影システムにおける医用画像撮影のワークフローを説明する。
１）医用画像撮影の各種操作を行うオペレータとしての撮影技師は、制御装置において、被写体となる撮影対象の患者（検診の被検者を含む）の氏名、性別等の患者情報や、撮影部位情報、撮影方向情報等の撮影条件情報を含む撮影オーダ情報を入力する。なお、撮影オーダ情報は、院内の情報を管理する病院情報管理システム（以下、ＨＩＳ；Hospital Information Systemという。）又は放射線科内の情報を管理する放射線科情報管理システム（以下、ＲＩＳ；Radiology Information Systemという。）から通信ネットワークを介して受信するようにしてもよい。
２）撮影技師は、撮影に使用するカセッテと撮影オーダ情報との対応関係を明確にするために、カセッテ登録と呼ばれる作業を行う。カセッテには、当該カセッテを他のカセッテと識別するための識別情報（以下、カセッテＩＤという。）が表示されており、カセッテ登録作業では、選択された撮影オーダ情報に基づく撮影に用いるカセッテのカセッテＩＤを制御装置に入力する。制御装置では、選択された撮影オーダ情報と入力されたカセッテＩＤとが対応付けて登録される。
【０００６】
３）撮影技師は、撮影装置により撮影を行う。撮影装置では、放射線が照射され放射線画像がカセッテに記録される。
４）撮影技師は、カセッテを読取装置に装着する。読取装置では、カセッテからカセッテＩＤの読み取りが行われ、制御装置に送信される。
５）制御装置においては、カセッテＩＤに対応する撮影オーダ情報に応じた読取条件でカセッテに記録された放射線画像を読み取るように読取装置の制御が行なわれる。
６）読取装置においては、カセッテを読み取って得られた医用画像のデータ及びカセッテＩＤが対応付けられ制御装置に送信される。
７）制御装置においては、カセッテＩＤに基づいて、読取装置から送信された医用画像データと撮影オーダ情報とが対応付けられる。
８）また、制御装置においては、撮影オーダ情報に含まれる撮影条件に応じた画像処理条件で医用画像データに画像処理が施され、撮影条件に応じたフォーマッティング条件でフォーマッティング処理が施される。
【特許文献１】特開２００２−１５８８６２号公報
【発明の開示】
【発明が解決しようとする課題】
【０００７】
上述の医用画像撮影のワークフローにおいては、撮影技師は、撮影前の準備段階で、少なくともカセッテ登録作業を行わなければならない。特に、乳房の診断においては、左右の画像や異なる撮影方向による画像の比較読影により診断が行なわれるため、一人の患者に対して、左乳房の上下方向（ＣＣ（Cranio-Caudal）−Ｌ（左））、左乳房の斜位方向（ＭＬＯ（Medio-Lateral Oblique）−Ｌ）、右乳房の上下方向（ＣＣ−Ｒ（右））、右乳房の斜位方向（ＭＬＯ−Ｒ）と、異なる撮影条件で複数回撮影を行うことが一般的である。この乳房撮影のように、一の患者の一の撮影部位を複数の異なる撮影条件で撮影する関連撮影においては、一人の患者の撮影に対して複数回のカセッテ登録を繰り返す必要があり、煩雑であった。
【０００８】
また、撮影の際、撮影技師は登録したカセッテを撮影装置のある場所（撮影室等）に運搬し、登録したカセッテを用いて撮影を行うが、複数回撮影を行う場合、撮影技師が持ち運ぶカセッテも複数枚となり、カセッテ登録でカセッテに対応付けた撮影オーダ情報における撮影条件とは別の撮影条件で撮影を行ってしまう可能性があった。
【０００９】
本発明の課題は、カセッテを用いた医用画像撮影システムにおいて、一の被写体を複数の撮影条件で撮影する際の撮影準備作業を効率化するとともに、撮影条件を誤ることなく撮影を行うことを可能とすることである。
【課題を解決するための手段】
【００１０】
上記課題を解決するため、請求項１に記載の発明は、
入力された撮影オーダ情報と当該撮影オーダ情報に基づく撮影に使用するカセッテの識別情報とを対応付けて登録し、前記撮影オーダ情報に含まれる撮影条件に基づいて被写体を撮影してその放射線画像を前記登録されたカセッテに記録し、当該カセッテに記録された放射線画像を読み取って医用画像データを取得する医用画像撮影システムにおいて、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録する制御手段を備えたことを特徴としている。
【００１１】
請求項２に記載の発明は、
入力された撮影オーダ情報と当該撮影オーダ情報に基づく撮影に使用するカセッテの識別情報とを対応付けて登録し、前記撮影オーダ情報に含まれる撮影条件に基づいて前記登録されたカセッテを用いて被写体を撮影し前記被写体を透過した放射線像を光電変換し、その光電変換された放射線画像信号を医用画像データとして取得する医用画像撮影システムにおいて、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録する制御手段を備えたことを特徴としている。
【００１２】
請求項３に記載の発明は、請求項１又は２に記載の発明において、
前記関連撮影は、左右乳房の撮影であることを特徴としている。
【００１３】
請求項４に記載の発明は、請求項１〜３の何れか一項に記載の発明において、
前記関連撮影は、撮影条件が左右上下方向の乳房撮影及び／又は左右斜位方向の乳房撮影であることを特徴としている。
【００１４】
請求項５に記載の発明は、
入力された撮影オーダ情報と当該撮影オーダ情報に基づく撮影に使用するカセッテの識別情報とをオペレータの登録操作に基づき対応付けて登録する制御手段を備え、前記撮影オーダ情報に含まれる撮影条件に基づいて被写体を撮影してその放射線画像を前記登録されたカセッテに記録し、当該カセッテに記録された放射線画像を読み取って医用画像データを取得する医用画像撮影システムにおける医用画像撮影方法において、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、前記制御手段において、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録することを特徴としている。
【００１５】
請求項６に記載の発明は、
入力された撮影オーダ情報と当該撮影オーダ情報に基づく撮影に使用するカセッテの識別情報とをオペレータの登録操作に基づき対応付けて登録する制御手段を備え、前記撮影オーダ情報に含まれる撮影条件に基づいて前記登録されたカセッテを用いて被写体を撮影し前記被写体を透過した放射線像を光電変換し、その光電変換された放射線画像信号を医用画像データとして取得する医用画像撮影システムにおける医用画像撮影方法において、
一の被写体の一の撮影部位を複数の異なる撮影条件で撮影する関連撮影において前記各撮影条件の撮影に専用に使用する複数のカセッテを設け、
前記専用に使用する各カセッテにその撮影条件を表示し、
前記関連撮影における各撮影条件を示す情報と前記各撮影条件での撮影に専用に用いるカセッテの識別情報とを対応付けて記憶手段に記憶し、前記制御手段において、入力された撮影オーダ情報に含まれる撮影部位が前記関連撮影を行う撮影部位であるか否かを判断し、前記関連撮影を行う撮影部位である場合に、前記撮影オーダ情報に含まれる撮影条件に対応するカセッテの識別情報を前記記憶手段から読み出して、前記撮影オーダ情報と前記読み出されたカセッテの識別情報とを対応付けて登録することを特徴としている。
【発明の効果】
【００１６】
請求項１、２、５、６に記載の発明によれば、一の被写体の一の撮影部位を複数の異なる撮影条件で撮影する関連撮影において各撮影条件の撮影に専用に使用する複数のカセッテを設け、専用に使用する各カセッテにその撮影条件を表示し、関連撮影における各撮影条件を示す情報と各撮影条件での撮影に専用に用いるカセッテの識別情報とを対応付けて記憶手段に記憶しておき、制御手段において、入力された撮影オーダ情報に含まれる撮影部位が関連撮影を行う撮影部位であるか否かを判断し、関連撮影を行う撮影部位である場合に、撮影オーダ情報に含まれる撮影条件に対応するカセッテの識別情報を記憶手段から読み出して、撮影オーダ情報と読み出されたカセッテの識別情報とを対応付けて登録する。
【００１７】
従って、制御手段において、撮影オーダ情報に含まれる撮影部位が関連撮影を行う撮影部位であるか否かを判断し、関連撮影を行う撮影部位である場合に、撮影オーダ情報にその撮影条件の撮影に専用に使用するカセッテの識別情報を自動的に登録するので、関連作撮影を行う際のオペレータによるカセッテ登録操作が不要となり、撮影準備作業を効率化することが可能となる。また、関連撮影において各撮影条件の撮影に専用に使用するカセッテには撮影条件が表示されているので、撮影条件を誤ることなく撮影を行うことが可能となる。
【００１８】
請求項３に記載の発明によれば、左右乳房の撮影における撮影準備作業を効率化することが可能となるとともに、撮影条件を誤ることなく撮影を行うことが可能となる。
【００１９】
請求項４に記載の発明によれば、撮影条件が左右上下方向の乳房撮影及び／又は左右斜位方向の乳房撮影における撮影準備作業を効率化することが可能となるとともに、撮影条件を誤ることなく撮影を行うことが可能となる。
【発明を実施するための最良の形態】
【００２０】
〔第１の実施の形態〕
以下、図を参照して本実施の第１の形態について説明する。
まず、構成について説明する。
【００２１】
図１に、第１の実施の形態における医用画像撮影システム１００の全体構成を示す。図１に示すように、医用画像撮影システム１００は、撮影装置１、読取装置（以下、リーダーと称する）２、制御装置（以下、コントローラーと称する)３、プリンタ４等を備えて構成され、リーダー２、コントローラー３、プリンタ４はネットワークＮを介して、相互にデータが送受信可能なように接続されている。なお、各装置の台数は特に限定されない。また、ネットワークＮには、ビューア、画像サーバ、ＨＩＳ／ＲＩＳ等の外部装置やシステムが接続された構成としてもよい。
【００２２】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。また、病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。
【００２３】
撮影装置１は、放射線源１６を有し、被写体Ｍ（患者）に放射線を照射して撮影する。カセッテ１７は、放射線エネルギーを蓄積する輝尽性蛍光体シート１８を備える放射線画像変換プレートが内蔵された持ち運び可能な放射線画像変換媒体であり、放射線源１６からの照射放射線量に対する被写体Ｍの放射線透過率分布に従った放射線量を内設された輝尽性蛍光体シート１８の輝尽性蛍光体層に蓄積し、この輝尽性蛍光体層に被写体Ｍの放射線画像情報を記録する。カセッテ１７には、カセッテを識別するためのカセッテＩＤを示すバーコードが表示されている。
【００２４】
本実施の形態において、一の患者の一の撮影部位を複数の異なる撮影条件で撮影する関連撮影を行う乳房撮影には、図２に示す専用のカセッテ１７ａ〜１７ｄが用いられる。各カセッテ１７ａ〜１７ｄには、そのカセッテを用いて撮影を行う場合の撮影条件（撮影部位及び撮影方向）が予め設定されている。例えば、カセッテ１７ａには、撮影条件として左乳房上下方向（ＣＣ−Ｌ）が、カセッテ１７ｂには右乳房上下方向（ＣＣ−Ｒ）が、カセッテ１７ｃには左乳房斜位方向（ＭＬＯ−Ｌ）が、カセッテ１７ｄには右乳房斜位方向（ＭＬＯ−Ｒ）が設定されている。カセッテ１７ａ〜１７ｄには、図２に示すように、カセッテＩＤを示すバーコードとともに、そのカセッテを用いて撮影を行う際の撮影条件を示す絵、図、文字等が表示されており、撮影条件が一瞥して識別可能なようになっている。
【００２５】
リーダー２は、装填されたカセッテ１７に記録された被写体Ｍの放射線画像を読み取り、医用画像データを生成する読取装置である。リーダー２は、図示しないバーコードリーダを備え、カセッテ１７が装填されると当該カセッテ１７に表示されたカセッテ１７を識別するための識別情報（ここでは、カセッテＩＤとする）を読み取り、読み取ったカセッテＩＤをコントローラー３に送信し、コントローラー３からの制御信号に基づいて装填されたカセッテ１７の輝尽蛍光体シート１８に励起光を照射し、これによりシートから発光される輝尽光を光電変換し、得られた画像信号をＡ／Ｄ変換して、医用画像データを生成する。
【００２６】
コントローラー３は、リーダー２による画像の読み取りを制御すると共に、撮影オーダ情報の入力、撮影オーダ情報とそのオーダの撮影に使用するカセッテ１７との対応付け登録、読み取った医用画像の表示、読み取った医用画像への画像処理、フォーマッティング等を行う。ここで、撮影オーダ情報は、少なくとも患者情報及び撮影条件情報（撮影部位情報及び撮影方向情報）を含む情報である。
【００２７】
プリンタ４は、例えば、光熱銀塩方式のプリンタであり、コントローラー３から出力された医用画像データに基づいて、記録媒体（ここでは、フィルムとする）上に医用画像を可視像として再生したハードコピーを出力する。
【００２８】
以下、図３を参照して、コントローラー３の内部構成について説明する。
図３に示すように、コントローラー３は、ＣＰＵ３１、操作部３２、表示部３３、ＲＡＭ３４、記憶部３５、通信制御部３６、バーコードリーダ３７等を備えて構成され、各部はバス３８により接続されている。
【００２９】
ＣＰＵ３１は、記憶部３５のプログラム記憶部３５１に記憶されているシステムプログラムを読み出し、ＲＡＭ３４内に形成されたワークエリアに展開し、該システムプログラムに従って各部を制御する。また、ＣＰＵ３１は、記憶部３５のプログラム記憶部３５１に記憶されているカセッテ登録処理プログラム、画像読取制御プログラム、画像処理プログラム、フォーマッティング処理プログラムを始めとする各種処理プログラム、各種アプリケーションプログラムを読み出してワークエリアに展開し、後述するカセッテ登録処理（図５参照）を始めとする各種処理を実行する。
【００３０】
操作部３２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ３１に出力する。また、操作部３２は、表示部３３の表示画面にタッチパネルを備えても良く、この場合、タッチパネルを介して入力された指示信号をＣＰＵ３１に出力する。
【００３１】
表示部３３は、ＬＣＤ（Liquid Crystal Display）やＣＲＴ等のモニタにより構成され、ＣＰＵ３１から入力される表示信号の指示に従って、操作部３２からの入力指示やデータ等を表示する。
【００３２】
ＲＡＭ３４は、ＣＰＵ３１により実行制御される各種処理において、記憶部３５から読み出されたＣＰＵ３１で実行可能な各種プログラム、入力若しくは出力データ、及びパラメータ等の一時的に記憶するワークエリアを形成する。
【００３３】
記憶部３５は、ＨＤＤ（Hard Disc Drive）や不揮発性の半導体メモリ等により構成されている。記憶部３５は、図４に示すように、プログラム記憶部３５１、撮影オーダ情報／カセッテＩＤ記憶部３５２、画像データ記憶部３５３、パラメータ記憶部３５４、出力フォーマット情報記憶部３５５、撮影条件／カセッテＩＤ設定記憶部３５６を有して構成されている。
【００３４】
プログラム記憶部３５１は、ＣＰＵ３１で実行されるシステムプログラム、当該システムプログラムに対応する、カセッテ登録処理プログラム、画像読取制御プログラム、画像処理プログラム、フォーマッティング処理プログラムを始めとする各種処理プログラム、各種アプリケーションプログラム等を記憶する。これらの各種プログラムは、読取可能なプログラムコードの形態で格納され、ＣＰＵ３１は、当該プログラムコードに従った動作を逐次実行する。
【００３５】
撮影オーダ情報／カセッテＩＤ記憶部３５２は、入力された撮影オーダ情報と各撮影オーダ情報に関する撮影において使用するカセッテ１７のカセッテＩＤとを対応付けて記憶する。
画像データ記憶部３５３は、撮影オーダ情報と対応付けてリーダー２から入力された医用画像データを記憶する。
【００３６】
パラメータ記憶部３５４は、撮影条件情報に対応付けてその撮影条件に応じた読取条件パラメータ（サンプリングピッチ、読み取り感度等）及び画像処理パラメータ（階調処理に用いる階調曲線を定義したルックアップテーブル、周波数処理の強調度等）を記憶する。
出力フォーマット情報記憶部３５５は、撮影条件情報に対応づけてその撮影条件情報に応じた出力フォーマット情報を記憶する。
【００３７】
記憶手段としての撮影条件／カセッテＩＤ設定記憶部３５６は、関連撮影における撮影条件情報と、その撮影条件での撮影に専用に用いるカセッテ１７のカセッテＩＤとを対応付けて記憶している。ここでは、撮影部位情報が乳房であり、撮影方向情報がＣＣ−Ｌの撮影条件情報にはカセッテＩＤ１１１１が、乳房のＣＣ−Ｒの撮影条件情報にはカセッテＩＤ１１１２が、乳房のＭＬＯ−Ｌの撮影条件情報にはカセッテＩＤ１１１３が、乳房のＭＬＯ−Ｒの撮影条件情報にはカセッテＩＤ１１１１４が対応付けて記憶されていることとする。カセッテＩＤ１１１１〜１１１４のカセッテ１７は、図２に示すカセッテ１７ａ〜１７ｄである。
【００３８】
通信制御部３６は、ＬＡＮアダプタやルータやＴＡ（Terminal Adapter）等を備え、ネットワークＮに接続された各装置との間の通信を制御する。
【００３９】
バーコードリーダ３７は、カセッテ１７上に表示されたバーコードの表すカセッテＩＤを読み取ってＣＰＵ３１に出力する。
【００４０】
次に、本実施の形態における動作について説明する。
図５に、コントローラー３のＣＰＵ３１により実行されるカセッテ登録処理について説明する。本処理は、ＣＰＵ３１とプログラム記憶部３５１に記憶されているカセッテ登録処理プログラムとの協働によるソフトウエア処理によって実現される。
【００４１】
まず、表示部３３に撮影オーダ情報入力用の画面が表示され、この画面から患者情報、撮影条件等の撮影オーダ情報が入力され、入力確定が指示されると（ステップＳ１）、入力された各撮影オーダ情報を識別するための識別情報（ここでは撮影ＩＤ）が発行され、撮影オーダ情報／カセッテＩＤ記憶部３５２に、撮影ＩＤと入力された撮影オーダ情報が対応付けて記憶される（ステップＳ２）。本実施の形態においては、ステップＳ１において、一患者に関する撮影オーダ情報が全て入力されると、入力確定が指示されるものとする。なお、コントローラー３にＲＩＳ／ＨＩＳ等が接続されている場合は、ＲＩＳ／ＨＩＳ等から撮影オーダ情報を受信することにより入力してもよい。
【００４２】
次いで、ステップＳ２で撮影オーダ情報／カセッテＩＤ記憶部３５２に記憶された撮影オーダ情報に含まれる撮影部位情報が乳房であるか否かが判断され（ステップＳ３）、撮影部位情報が乳房である場合は（ステップＳ３；ＹＥＳ）、撮影条件／カセッテＩＤ設定記憶部３５６から各撮影オーダ情報に含まれる撮影条件情報に対応するカセッテＩＤが読み出され、各撮影オーダ情報と読み出されたカセッテＩＤが対応付けて登録される。即ち、各撮影オーダ情報に、読み出されたカセッテＩＤが対応付けられて撮影オーダ情報／カセッテＩＤ記憶部３５２に記憶される（ステップＳ４）。
【００４３】
一方、ステップＳ２で撮影オーダ情報／カセッテＩＤ記憶部３５２に記憶された撮影オーダ情報に含まれる撮影部位情報が乳房ではない場合は（ステップＳ３；ＮＯ）、撮影技師によるカセッテ登録操作（表示部３３に表示された撮影オーダ情報を操作部３２を介して選択操作し、使用するカセッテ１７に表示されたバーコードをバーコードリーダ３７に対向させる）に応じてバーコードリーダ３７よりバーコードが読み取られ（ステップＳ５）、得られたカセッテＩＤが選択された撮影オーダ情報に対応付けられて登録される。即ち、選択された撮影オーダ情報にバーコードにより読み取られたカセッテＩＤが対応付けられ、撮影オーダ情報／カセッテＩＤ記憶部３５２に記憶される（ステップＳ６）。当該患者に関する全ての撮影オーダ情報に対してステップＳ５、６が繰り返し実行され、全ての撮影オーダ情報に対しての対応付けが終了すると（ステップ７；ＹＥＳ）、本処理は終了する。
【００４４】
乳房撮影の場合は、通常、４つの異なる撮影条件で撮影が行なわれるので、従来は、一患者の撮影に対し、撮影技師は４回のカセッテ登録操作を行う必要があった。そこで、上記カセッテ登録処理により、撮影オーダ情報に含まれる撮影部位が乳房の場合、コントローラー３において、自動的に撮影オーダ情報とカセッテとの対応付けの登録を行うようにしたので、一患者の撮影に対し撮影技師が何度もカセッテ登録操作を行う必要がなくなり、撮影準備作業を効率化することが可能となる。
【００４５】
上記処理において撮影オーダ情報とその撮影で使用するカセッテのカセッテＩＤが対応付けられると、医用画像撮影システム１００においては、撮影オーダ情報に含まれる撮影条件での被写体Ｍの撮影、放射線画像の読み取り、画像処理、フォーマッティング処理が行なわれる。
【００４６】
被写体Ｍの撮影が終了し、リーダー２にカセッテ１７が装着され、カセッテ１７のバーコードが読み取られてそのカセッテＩＤがコントローラー３に送信されると、コントローラー３において、画像読取制御処理が実行される。当該処理においては、撮影オーダ情報／カセッテＩＤ記憶部３５２に記憶されている未撮影の撮影オーダ情報のなかから当該カセッテＩＤが対応付けられている撮影オーダ情報が読み出され、その撮影オーダ情報に含まれる撮影条件情報に応じた読み取りパラメータがパラメータ記憶部３５４から読み出され、このパラメータに基づいてリーダー２における画像読取条件（サンプリングピッチ、感度等）が決定される。そして、決定された画像読取条件でカセッテ１７に記録された放射線画像の読み取りを行うようリーダー２の制御が行われる。
【００４７】
画像読取制御処理後、リーダー２からカセッテＩＤ及び読み取られた医用画像データが送信されると、コントローラー３において、撮影オーダ情報に医用画像データが対応付けられ、各種画像処理が実行される。即ち、撮影オーダ情報の撮影条件に応じた画像処理パラメータがパラメータ記憶部３５４から読み出され、このパラメータに基づいて各種画像処理条件が決定される。そして、決定された画像処理条件で医用画像データに階調処理、周波数処理等の画像処理が施される。
【００４８】
医用画像データに画像処理が施されると、コントローラー３においては、フォーマッティング処理が実行される。即ち、撮影条件に応じた出力フォーマット情報が出力フォーマット情報記憶部３５５から読み出され、この出力フォーマット情報に基づいて医用画像データにフォーマット処理が施され、診断用画像データ又は診断用合成画像データが作成される。例えば、医用画像データが乳房画像である場合は、出力フォーマット情報に基づいて、図６に示すように、同方向の右乳房画像データＲ及び左乳房画像データＬ（例えば、ＣＣ−ＲとＣＣ−Ｌ、又はＭＬＯ−ＲとＭＬＯ−Ｌ）が、互いの胸壁側を合わせ、二面並べられて合成され、出力画像枠に対する合成画像の配置、出力画像枠内における画像が存在しない空き領域に対する黒化処理（所定の濃度値以上、例えば、被写体領域における最小濃度値より高濃度の値に変換する処理）等が行われ、診断用合成画像データが作成される。
【００４９】
コントローラー３において、上記画像読取制御処理〜フォーマッティング処理までが終了すると、作成された診断用画像データ（診断用合成画像データ）が通信制御部３７を介してプリンタ４に出力される。
【００５０】
以上説明したように、コントローラー３の撮影条件／カセッテＩＤ設定記憶部３５６には、乳房撮影における各撮影条件と、その撮影条件での撮影に用いるカセッテ１７のカセッテＩＤが対応付けて記憶されており、カセッテ登録処理において、入力された撮影オーダ情報の撮影部位情報が乳房であるか否かが判断され、乳房である場合には、撮影条件／カセッテＩＤ設定記憶部３５６が参照され、各撮影オーダ情報に含まれる撮影条件に対応するカセッテＩＤが読み出され、各撮影オーダ情報と読み出されたカセッテＩＤとが対応付けて登録される。従って、乳房撮影を行う場合には、コントローラー３において、撮影オーダ情報と撮影に使用するカセッテ１７のカセッテＩＤとが自動的に対応付け登録されるので、撮影技師によるカセッテ登録操作を省略することが可能となり、撮影準備作業を効率化することが可能となる。
【００５１】
例えば、図７（ａ）に示すように、従来は、一患者の乳房撮影を行う場合には４回の撮影技師によるカセッテ登録操作が必要であったが、本発明に係るコントローラー３によれば、撮影部位が乳房の撮影オーダ情報に自動的に乳房撮影に使用するカセッテ１７ａ〜１７ｄのカセッテＩＤを対応付けるので、図７（ｂ）に示すように、４回の撮影技師による登録が不要となり、撮影技師の作業を軽減し、撮影準備作業を効率化することが可能となる。
【００５２】
また、従来、乳房撮影を行う際には、撮影技師が４つのカセッテを順に並べる（例えば、上からＣＣ−Ｌ、ＣＣ−Ｒ、ＭＬＯ−Ｌ、ＭＬＯ−Ｒの順に並べる）等により各カセッテに対応する撮影条件がわかるようにしてカセッテを撮影室まで移動させ撮影を行っていたので、移動中にカセッテを落下させる等により、カセッテに対応する撮影条件がわからなくなったり、誤って異なる撮影条件で撮影を行ったりする場合があった。そこで、乳房撮影に用いるカセッテ１７ａ〜１７ｄのそれぞれには、図２で示したように、カセッテＩＤを示すバーコードとともに、撮影条件を示す絵、図、文字等が表示するようにしたので、誤った撮影条件で撮影を行ってしまうといったことを防止することができる。
【００５３】
なお、上記実施の形態における記述内容は、本発明に係る医用画像撮影システム１００の好適な一例でありこれに限定されるものではない。
例えば、カセッテ１７ａ〜１７ｄのセットを複数組用意しておくと、複数の患者の乳房撮影を並行して行うことが可能となる。この場合、撮影条件／カセッテＩＤ設定記憶部３５６に、更に、各カセッテＩＤに対してそのカセッテ１７が属するセットを識別するためのセットＩＤを対応付けて記憶するようにしておく。そして、１患者の１つの撮影オーダ情報に対して、撮影技師により上述のカセッテ登録操作を行ってカセッテＩＤと撮影オーダ情報との対応付けを行うことで、他の撮影オーダ情報に対しては、同一セットＩＤを有するカセッテＩＤをコントローラー３側で自動的に対応付けて記憶する。これにより、撮影技師によるカセッテ登録操作を省略することが可能となる。
【００５４】
また、上記実施の形態においては、乳房撮影に用いるカセッテのカセッテＩＤを予め撮影条件／カセッテＩＤ設定記憶部３５６に記憶しておき、カセッテ登録処理においてコントローラー３側で撮影オーダ情報との対応付けを行うこととしたが、本発明を適用する関連撮影としては乳房撮影に限定されるものではない。また、上記実施の形態においては、乳房撮影を行うためのカセッテをＣＣ−Ｌ、ＣＣ−Ｒ、ＭＬＯ−Ｌ、ＭＬＯ−Ｒの４枚１組で設定しておくこととしたが、左右の各乳房の撮影に用いる２枚のカセッテを乳房用のカセッテとして設定しておくようにしてもよい。
【００５５】
また、撮影装置１にバーコードリーダを備える構成とし、撮影装置１に設けられた記憶手段にカセッテ１７ａ〜１７ｄのカセッテＩＤに対応付けてカセッテ１７ａ〜１７ｄの各撮影条件を撮影する際の撮影装置１各部の設定条件を記憶させておくことで、撮影時に撮影装置１側でカセッテ１７ａ〜１７ｄのカセッテＩＤを示すバーコードを読み取った際に、撮影条件に応じた各部の設定（撮影角度等）を自動的に行うことが可能となる。
【００５６】
〔第２の実施の形態〕
次に、本発明の第２の実施の形態について説明する。
まず、第２の実施の形態の構成について説明する。
図８に、第２の実施の形態における医用画像撮影システム２００の全体構成を示す。図８に示すように、医用画像撮影システム２００は、撮影装置５、コントローラー６、プリンタ７等を備えて構成され、コントローラー６及びプリンタ７がネットワークＮを介して、相互にデータが送受信可能なように接続されている。また、コントローラー６は、クレードル６ａを有しており、クレードル６ａにカセッテ５７が装填されることにより、カセッテ５７とデータが送受信可能に接続可能である。なお、各装置の台数は特に限定されない。また、ネットワークＮには、ビューア、画像サーバ、ＨＩＳ／ＲＩＳ等の外部装置やシステムが接続された構成としてもよい。
【００５７】
撮影装置５は、放射線源５６を有し、被写体Ｍに放射線を照射して撮影する。カセッテ５７は、ＦＰＤ（flat panel detector）を搭載したカセッテ型撮影装置であり、被写体Ｍを透過した放射線像を撮影して可視光に変換し、この可視光を光電変換して電気信号として検出し、検出された電気信号をデジタル変換して医用画像データを取得する。カセッテ５７には、カセッテを識別するためのカセッテＩＤを示すバーコードが表示されている。
【００５８】
本実施の形態において、一の患者の一の撮影部位を複数の異なる撮影条件で撮影する関連撮影を行う乳房撮影には、図２に示す専用のカセッテ５７ａ〜５７ｄが用いられる。各カセッテ５７ａ〜５７ｄには、そのカセッテを用いて撮影を行う場合の撮影条件が予め設定されている。例えば、カセッテ５７ａには、撮影条件として左乳房上下方向（ＣＣ−Ｌ）が、カセッテ５７ｂには右乳房上下方向（ＣＣ−Ｒ）が、カセッテ５７ｃには左乳房斜位方向（ＭＬＯ−Ｌ）が、カセッテ５７ｄには右乳房斜位方向（ＭＬＯ−Ｒ）が設定されている。カセッテ５７ａ〜５７ｄには、図２に示すように、カセッテＩＤを示すバーコードとともに、そのカセッテを用いて撮影を行う際の撮影条件を示す絵、図、文字等が表示されており、撮影条件が一瞥して識別可能なようになっている。
【００５９】
コントローラー６は、撮影オーダ情報の入力、撮影オーダ情報とそのオーダに基づく撮影に使用するカセッテ５７との対応付け登録、読み取った医用画像の表示、読み取った医用画像への画像処理、フォーマッティング等を行う。ここで、撮影オーダ情報は、少なくとも患者情報及び撮影条件情報を含む情報である。
【００６０】
コントローラー６の内部構成は、図３で説明したコントローラー３と同様の構成に、Ｉ／Ｆ６９を介してクレードル６ａが接続されたものである。コントローラー６の図３と同様の各構成部分には同列の符号を付し、その構成の図示及び説明は省略する。即ち、コントローラー６は、ＣＰＵ６１、操作部６２、表示部６３、ＲＡＭ６４、記憶部６５、通信制御部６６、バーコードリーダ６７、Ｉ／Ｆ６９より構成され、各部はバス６８により接続されている。
【００６１】
また、記憶部６５の構成についても、図４に示したのと同様であるので、各構成部分には同列の符号を付し、その構成の図示及び説明は省略する。即ち、記憶部６５は、プログラム記憶部６５１、撮影オーダ情報／カセッテＩＤ記憶部６５２、画像データ記憶部６５３、パラメータ記憶部６５４、出力フォーマット情報記憶部６５５、撮影条件／カセッテＩＤ設定記憶部６５６を有して構成されている。
【００６２】
プログラム記憶部６５１には、ＣＰＵ６１で実行されるシステムプログラム、当該システムプログラムに対応する、カセッテ登録処理プログラム、画像処理プログラム、フォーマッティング処理プログラムを始めとする各種処理プログラム、各種アプリケーションプログラム等が記憶されている。
【００６３】
撮影オーダ情報／カセッテＩＤ記憶部６５２は、入力された撮影オーダ情報と各撮影オーダ情報に関する撮影において使用するカセッテ５７のカセッテＩＤとを対応付けて記憶する。
画像データ記憶部６５３は、撮影オーダ情報にクレードル６ａを介して入力された医用画像データを対応付けて記憶する。
【００６４】
パラメータ記憶部６５４は、撮影条件情報に対応付けてその撮影条件に応じた画像処理パラメータ（階調処理に用いる階調曲線を定義したルックアップテーブル、周波数処理の強調度等）を記憶する。
出力フォーマット情報記憶部６５５は、撮影条件情報に対応づけてその撮影条件情報に応じた出力フォーマット情報を記憶する。
【００６５】
記憶手段としての撮影条件／カセッテＩＤ設定記憶部６５６は、関連撮影における撮影条件情報と、その撮影条件での撮影に専用に用いるカセッテ５７のカセッテＩＤとを対応付けて記憶している。ここでは、撮影部位情報が乳房であり、撮影方向情報がＣＣ−Ｌの撮影条件情報にはカセッテＩＤ１１１１が、ＣＣ−Ｒの撮影条件情報にはカセッテＩＤ１１１２が、ＭＬＯ−Ｌの撮影条件情報にはカセッテＩＤ１１１３が、ＭＬＯ−Ｒの撮影条件情報にはカセッテＩＤ１１１１４が対応付けて記憶されていることとする。カセッテＩＤ１１１１〜１１１４のカセッテ１７は、図２に示すカセッテ５７ａ〜５７ｄである。
【００６６】
次に、第２の実施の形態の動作について説明する。
コントローラー６においては、ＣＰＵ６１とプログラム記憶部６５１に記憶されているカセッテ登録処理プログラムとの協働によるソフトウエア処理によって、図５で説明したのと同様のカセッテ登録処理が実現され、撮影オーダ情報にカセッテＩＤが対応付けられ、撮影オーダ情報／カセッテＩＤ記憶部６５２に記憶される。
【００６７】
上記処理において撮影オーダ情報とその撮影で使用するカセッテＩＤが対応付けられた後、バーコードリーダ６７からカセッテＩＤが読み取られ、Ｉ／Ｆ６８を介してクレードル６ａから医用画像データが送信されると、コントローラー６において、読み取られたカセッテＩＤが対応付けられた撮影オーダ情報に医用画像データが対応付けられ、各種画像処理が実行される。即ち、撮影オーダ情報の撮影条件に応じた画像処理パラメータがパラメータ記憶部６５４から読み出され、このパラメータに基づいて各種画像処理条件が決定される。そして、決定された画像処理条件で医用画像データに階調処理、周波数処理等の画像処理が施される。
【００６８】
医用画像データに画像処理が施されると、コントローラー６においては、フォーマッティング処理が実行される。即ち撮影条件に応じた出力フォーマット情報が出力フォーマット情報記憶部６５５から読み出され、この出力フォーマット情報に基づいて医用画像データにフォーマット処理が施され、診断用画像データ又は診断用合成画像データが作成される（図６参照）。
【００６９】
コントローラー６において、上記画像処理〜フォーマッティング処理までが終了すると、作成された診断用画像データ（診断用合成画像データ）が通信制御部６６を介してプリンタ７に出力される。
【００７０】
以上説明したように、本発明は、カセッテ５７がＦＰＤである場合においても適用することが可能であり、第１の実施の形態と同様に、撮影技師によるカセッテ登録作業の軽減し、撮影準備作業を効率化することが可能となる。また、同一患者について複数回の撮影を行う場合に、誤った撮影条件でカセッテへの撮影を防止することが可能となる。
【００７１】
なお、上記実施の形態における記述内容は、本発明に係る医用画像撮影システム２００の好適な一例でありこれに限定されるものではない。
【００７２】
例えば、第１の実施の形態において説明したように、カセッテ５７ａ〜５７ｄのセットを複数組用意しておくと、複数の患者の乳房撮影を並行して行うことが可能となり、好ましい。
【００７３】
また、乳房撮影以外の関連撮影においても、本発明を適用することが可能である。また、上記実施の形態においては、乳房撮影を行うためのカセッテをＣＣ−Ｌ、ＣＣ−Ｒ、ＭＬＯ−Ｌ、ＭＬＯ−Ｒの４枚１組としたが、左右の各乳房の撮影に用いる２枚のカセッテを乳房用のカセッテとして予め設定しておくようにしてもよい。
【００７４】
また、撮影装置５にバーコードリーダを備える構成とし、撮影装置５に設けられた記憶手段にカセッテ５７ａ〜５７ｄのカセッテＩＤに対応付けてカセッテ５７ａ〜５７ｄの各撮影条件を撮影する際の撮影装置５各部の設定条件を記憶させておくことで、撮影時に撮影装置５側でカセッテ５７ａ〜５７ｄのカセッテＩＤを示すバーコードを読み取った際に、撮影条件に応じた各部の設定（撮影角度等）を自動的に行うことが可能となる。
【００７５】
その他、医用画像撮影システム１００、２００を構成する各装置の細部構成及び細部動作に関しても、本発明の趣旨を逸脱することのない範囲で適宜変更可能である。
【図面の簡単な説明】
【００７６】
【図１】本発明に係る医用画像撮影システム１００の全体構成を示す図である。
【図２】カセッテ１７ａ〜１７ｄ（５７ａ〜５７ｄ）の一例を示す図である。
【図３】図１のコントローラー３の機能的構成を示すブロック図である。
【図４】図３の記憶部３５の構成例を示す図である。
【図５】図３のＣＰＵ３１により実行されるカセッテ登録処理を示すフローチャートである。
【図６】医用画像撮影システム１００において作成される診断用合成画像の一例を示す図である。
【図７】従来の医用画像撮影システム及び本発明に係る医用画像撮影システム１００におけるカセッテ登録操作を説明するための図である。
【図８】本発明に係る医用画像撮影システム２００の全体構成を示す図である。
【符号の説明】
【００７７】
１００、２００  医用画像撮影システム
１、５  撮影装置
１６、５６  放射線源
１７、５７  カセッテ
１８  輝尽性蛍光体シート
２  リーダー
３、６  コントローラー
３１、６１  ＣＰＵ
３２、６２  操作部
３３、６３  表示部
３４、６４  ＲＡＭ
３５、６５  記憶部
３５１、６５１  プログラム記憶部
３５２、６５２  撮影オーダ情報／カセッテＩＤ記憶部
３５３、６５３  画像データ記憶部
３５４、６５４  パラメータ記憶部
３５５、６５５  出力フォーマット情報記憶部
３５６、６５６  撮影条件／カセッテＩＤ設定記憶部
３６、６６  通信制御部
３７、６７  バーコードリーダ
３８、６８  バス
【図１】
2005342305.tif 000003
【図２】
2005342305.tif 000004
【図３】
2005342305.tif 000005
【図４】
2005342305.tif 000006
【図５】
2005342305.tif 000007
【図７】
2005342305.tif 000008
【図８】
2005342305.tif 000009
【図６】
2005342305.tif 000010